(57)【要約】【課題】  ドラムユニットを装脱自在に設けてある場合に、遮蔽位置に移動したときのシャッター部材と感光体ドラムとの相対位置を正確，簡便に位置決めでき、開閉カバーを開いた状態でも、ドラムユニットの装着に特に手間取ることがないようにする。【解決手段】  感光体ドラム６を備えたドラムユニット２と、ドラムユニットを筐体１の外側に向けて開放可能な開口部と、その開閉カバー５を設け、感光体ドラムの開口部側を遮蔽可能なシャッター部材７を筐体側に設け、シャッター部材が開閉カバーの開き操作に伴って遮蔽位置に移動し、閉じ操作に伴って遮蔽解除位置に移動するように連係する連係機構を設け、シャッター部材をドラムユニットとの接当で遮蔽位置に停止可能に設け、ドラムユニットを筐体に対して装脱自在に設け、ドラムユニットを筐体から外した状態で、シャッター部材の遮蔽位置からの移動範囲を規制可能な規制機構Ｂを設けてある。【選択図】        図８
2006133607.tif 000002
【特許請求の範囲】
【請求項１】
感光体ドラムを備えたドラムユニットを収容している筐体に、前記ドラムユニットをドラム軸芯に直交する方向の筐体外側に向けて開放可能な開口部を形成するとともに、その開口部を開閉自在な開閉カバーを設け、
前記感光体ドラムの前記開口部側を遮蔽可能なシャッター部材を前記筐体側に設け、
前記開閉カバーの開き操作に伴って前記シャッター部材が遮蔽位置に移動し、前記開閉カバーの閉じ操作に伴って前記シャッター部材が遮蔽解除位置に移動するように、前記開閉カバーと前記シャッター部材とを連係する連係機構を設けてある画像形成装置であって、
前記シャッター部材を前記ドラムユニットとの接当で前記遮蔽位置に停止可能に設けるとともに、前記ドラムユニットを前記筐体に対して装脱自在に設け、
前記ドラムユニットを前記筐体から外した状態で、前記シャッター部材の前記遮蔽位置からの移動範囲を規制可能な規制機構を、前記シャッター部材と前記筐体とに亘って設けてある画像形成装置。
【請求項２】
前記開閉カバーをドラム軸芯と略平行な軸芯周りで揺動開閉自在に設けるとともに、前記シャッター部材を前記開閉カバーの開き操作時の揺動方向に略沿って前記遮蔽位置に移動するように設けてある請求項１記載の画像形成装置。
【発明の詳細な説明】
【技術分野】
【０００１】
本発明は、感光体ドラムを備えたドラムユニットを収容している筐体に、前記ドラムユニットをドラム軸芯に直交する方向の筐体外側に向けて開放可能な開口部を形成するとともに、その開口部を開閉自在な開閉カバーを設け、前記感光体ドラムの前記開口部側を遮蔽可能なシャッター部材を前記筐体側に設け、前記開閉カバーの開き操作に伴って前記シャッター部材が遮蔽位置に移動し、前記開閉カバーの閉じ操作に伴って前記シャッター部材が遮蔽解除位置に移動するように、前記開閉カバーと前記シャッター部材とを連係する連係機構を設けてある画像形成装置に関する。
【背景技術】
【０００２】
上記画像形成装置は、メンテナンスや用紙詰まり等のトラブルを解消できるように、ドラムユニットを収容している筐体に、ドラムユニットをドラム軸芯に直交する方向の筐体外側に向けて開放可能な開口部を形成してあり、その開閉カバーを開けたときに、誤って、感光体ドラムの表面を傷つけたり、汚損させてしまうと、印刷性能を劣化させるおそれがあるので、感光体ドラムの開口部側を遮蔽可能なシャッター部材を筐体側に設け、操作者が特に意識することなく、開閉カバーを開いたときには感光体ドラムを保護することができ、開閉カバーを閉じたときにはドラムユニットの作動に支障が起きないように、開閉カバーの開き操作に伴ってシャッター部材が遮蔽位置に移動し、開閉カバーの閉じ操作に伴ってシャッター部材が遮蔽解除位置に移動するように、開閉カバーとシャッター部材とを連係する連係機構を設けてある（例えば、特許文献１，２参照）。
【０００３】
【特許文献１】特開平２−２７２４６４号公報
【特許文献２】特開平７−２３０１９７号公報
【発明の開示】
【発明が解決しようとする課題】
【０００４】
しかしながら、ドラムユニットの保守点検や交換作業を容易に実施できるように、ドラムユニットを筐体に対して装脱自在に設けてある場合に、遮蔽位置に移動したときのシャッター部材と感光体ドラムとの相対位置を正確、かつ、簡便に位置決めできるように、シャッター部材のドラムユニットに対する接当で遮蔽位置に位置決めできるようにすると、開閉カバーが開いていてシャッター部材が遮蔽位置に移動している状態でドラムユニットを筐体から外したり、ドラムユニットを筐体から外してある状態で開閉カバーを開いたりすると、シャッター部材を接当させるべきドラムユニットが装着されていないので、シャッター部材が所定の遮蔽位置を越えて移動してしまうことがあり、ドラムユニットを筐体に再度装着する際に、開閉カバーを開いた状態では、シャッター部材が邪魔になってドラムユニットを装着できなかったり、シャッター部材が感光体ドラムに接触したりするおそれがあって、ドラムユニットの再装着に手間取る欠点がある。
本発明は上記実情に鑑みてなされたものであって、ドラムユニットを筐体に対して装脱自在に設けてある場合に、遮蔽位置に移動したときのシャッター部材と感光体ドラムとの相対位置を正確、かつ、簡便に位置決めでき、しかも、開閉カバーを開いた状態でも、ドラムユニットの装着に特に手間取ることがないようにすることを目的とする。
【課題を解決するための手段】
【０００５】
本発明の第１特徴構成は、感光体ドラムを備えたドラムユニットを収容している筐体に、前記ドラムユニットをドラム軸芯に直交する方向の筐体外側に向けて開放可能な開口部を形成するとともに、その開口部を開閉自在な開閉カバーを設け、前記感光体ドラムの前記開口部側を遮蔽可能なシャッター部材を前記筐体側に設け、前記開閉カバーの開き操作に伴って前記シャッター部材が遮蔽位置に移動し、前記開閉カバーの閉じ操作に伴って前記シャッター部材が遮蔽解除位置に移動するように、前記開閉カバーと前記シャッター部材とを連係する連係機構を設けてある画像形成装置であって、前記シャッター部材を前記ドラムユニットとの接当で前記遮蔽位置に停止可能に設けるとともに、前記ドラムユニットを前記筐体に対して装脱自在に設け、前記ドラムユニットを前記筐体から外した状態で、前記シャッター部材の前記遮蔽位置からの移動範囲を規制可能な規制機構を、前記シャッター部材と前記筐体とに亘って設けてある点にある。
【０００６】
〔作用及び効果〕
ドラムユニットを筐体に対して装脱自在に設けてあるので、ドラムユニットの保守点検や交換作業を容易に実施することができ、しかも、シャッター部材をドラムユニットとの接当で遮蔽位置に停止可能に設けてあるので、遮蔽位置に移動したときのシャッター部材と感光体ドラムとの相対位置を正確、かつ、簡便に位置決めすることができる。
その上、ドラムユニットを筐体から外した状態で、シャッター部材の遮蔽位置からの移動範囲を規制可能な規制機構を、シャッター部材と筐体とに亘って設けてあるので、開閉カバーが開いていてシャッター部材が遮蔽位置に移動している状態でドラムユニットを筐体から外したり、ドラムユニットを筐体から外してある状態で開閉カバーを開いたりしても、シャッター部材が所定の遮蔽位置を大きく越えて移動しないように、つまり、開閉カバーを開いた状態でドラムユニットを筐体に再度装着する際に、シャッター部材が装着の邪魔になったり、感光体ドラムに接触したりしないように、シャッター部材の移動を規制することができる。
従って、ドラムユニットを筐体に対して装脱自在に設けてある場合に、遮蔽位置に移動したときのシャッター部材と感光体ドラムとの相対位置を正確、かつ、簡便に位置決めでき、しかも、開閉カバーを開いた状態でも、ドラムユニットの装着に特に手間取るようなことがない。
【０００７】
本発明の第２特徴構成は、前記開閉カバーをドラム軸芯と略平行な軸芯周りで揺動開閉自在に設けるとともに、前記シャッター部材を前記開閉カバーの開き操作時の揺動方向に略沿って前記遮蔽位置に移動するように設けてある点にある。
【０００８】
〔作用及び効果〕
開閉カバーをドラム軸芯と略平行な軸芯周りで揺動開閉自在に設けるとともに、シャッター部材を開閉カバーの開き操作時の揺動方向に略沿って遮蔽位置に移動するように設けてあるので、開閉カバーの開き操作を開始するに伴って、開閉カバーと筐体との間隔が徐々に拡がって、ドラムユニットが開口部を通して筐体外側に向けて徐々に開放されるときに、その開閉カバーと筐体との間隔を通した感光体ドラムの筐体外側に向けての開放を阻止するように、シャッター部材を開閉カバーの開き操作時の揺動方向に略沿って遮蔽位置に向けて移動させることができ、開閉カバーが開ききらないうちに、ドラムユニットに詰まっている用紙を取り除こうとしたり、異物が開口部を通してドラムユニット側に入り込むようなことがあっても、感光体ドラムの表面を傷つけるおそれが少ない。
【発明を実施するための最良の形態】
【０００９】
以下に本発明の実施の形態を図面に基づいて説明する。
図１は本発明による画像形成装置の一例としての複写機を示し、感光体ドラムユニット（以下、ドラムユニットという）２をユニット収容空間３に収容している筐体１に、ドラムユニット２をドラム軸芯Ｘに直交する方向の筐体１外側に向けて開放可能な開口部４を形成するとともに、その開口部４を開閉自在な開閉カバー５を設けてあり、開口部４は、用紙詰まりした際にその用紙を取り除いたり、メンテナンス等のために設けてある。
【００１０】
前記ドラムユニット２は、図２，図３に示すように、感光体ドラム６の両端部を第１支持体２１と第２支持体２２とで回転自在に支持してあり、第１支持体２１側を筐体１の外側から開口２３（図９（ｃ）参照）を通してドラム軸芯Ｘ方向に押し引き操作することにより、筐体１に対して装脱自在に設けてある。
【００１１】
前記感光体ドラム６は、原稿からの反射光により表面に静電潜像を形成し、逆電荷トナーを感光体ドラム６の表面に付着させて、トナーを記録用紙に転写するもので、円柱形状を有し、ドラム軸芯Ｘが記録用紙の搬送方向に垂直となるように配設してある。
【００１２】
前記開閉カバー５は、開口部４を覆ってユニット収容空間３を外部から遮断するもので、ドラム軸芯Ｘと略平行な揺動軸芯（図示せず）を下端側に設けて、その揺動軸芯周りで揺動開閉自在に筐体１に支持し、揺動軸芯周りに上方から下方に向けて円弧を描いて揺動させることで開口部４を開いて、ドラムユニット２を筐体１の外側に開放することができるように設けてある。
【００１３】
また、感光体ドラム６の開口部４側を遮蔽可能なシャッター部材７を筐体１側に固定してあるベース板２４側に支持して、開閉カバー５の開き操作に伴って、シャッター部材７が感光体ドラム６の開口部４側の図３に示す遮蔽位置に移動し、開閉カバー５の閉じ操作に伴ってシャッター部材７が遮蔽位置よりも上方の図２に示す遮蔽解除位置に移動するように、開閉カバー５とシャッター部材７とを連係する連係機構Ａを設けてある。
【００１４】
前記シャッター部材７は、ユニット収容空間３が開閉カバー５によって外部から遮断されているときには、図６にも示すように、感光体ドラム６の開閉カバー５側における斜め上方の遮蔽解除位置に移動しており、開閉カバー５の開き操作時に、その開閉カバー５の揺動方向に略沿って、図７にも示すように、開口部４と感光体ドラム６との間の遮蔽位置に移動するように設けてある。
【００１５】
前記連係機構Ａは、図４〜図７に示すように、開閉カバー５の開閉動作に連係してガイド部材１０をドラム軸芯Ｘに直交する方向に出退する押し込み部材８と、ガイド部材１０の出退移動に連係してドラム軸芯Ｘ方向に往復移動する板状の第１リンク部材１１と、第１リンク部材１１の往復移動に連係してベース板２４に固定してある支軸２５周りで揺動する三角板状の第２リンク部材１２と、第２リンク部材１２の揺動に連係してドラム軸芯Ｘに直交する方向に出退するスライダ部材１３とを設けて構成してある。
【００１６】
前記スライダ部材１３に連結アーム１４を上下に揺動自在に支持して、連結アーム１４がスライダ部材１３に対してドラムユニット２側に向けて揺動するようにバネなどで弾性的に軽く付勢するとともに、連結アーム１４の遊端側にシャッター部材７を前後に揺動自在に支持して、シャッター部材７が連結アーム１４に対してドラムユニット２側に向けて揺動するようにバネなどで弾性的に軽く付勢してある。
【００１７】
前記押込み部材８はシャッター部材７の動作を制御するもので、圧縮バネなどの付勢機構（図外）でベース板２４側から開閉カバー５側に向けて突出移動するように付勢してあり、この押込み部材８の後端側に固定してあるガイド部材１０に、ドラム軸芯Ｘに直交する方向の直交ガイド溝部２６ａと、ドラム軸芯Ｘに対して傾斜する傾斜ガイド溝部２６ｂとを備えたガイド溝２６を一連に形成して、第１リンク部材１１の下面側に固定してある第１係止ピン２７を係止させてある。
【００１８】
そして、図６に示す開閉カバー５の閉じ状態から、図７に示す開閉カバー５の開き状態になるように開閉カバー５を開き操作するときは、開き操作の開始時から開閉カバー５が開き方向に一定量揺動されるまでは、ガイド部材１０の移動にかかわらず、第１リンク部材１１が移動しないように、第１係止ピン２７を直交ガイド溝部２６ａに係止させ、その後の開閉カバー５の開き操作に伴うガイド部材１０の移動で第１係止ピン２７が傾斜ガイド溝部２６ｂに入り込んで、第１リンク部材１１が、ドラム軸芯Ｘと平行な方向に沿って、第１支持体２１側に移動し、また、図７に示す開閉カバー５の開き状態から、図６に示す開閉カバー５の閉じ状態になるように開閉カバー５を閉じ操作するときは、その開始時から開閉カバー５を閉じ方向に一定量揺動させると、第１リンク部材１１が、ドラム軸芯Ｘと平行な方向に沿って、第２支持体２２側に移動するように連係させてある。
【００１９】
前記第２リンク部材１２は、第１リンク部材１１の下面側に固定してある第２係止ピン２８が係入している第１長孔２９と、スライダ部材１３の上面側に固定してある第３係止ピン３０が係入している第２長孔３１とを備え、第１リンク部材１１の第１支持体２１側への移動により、支軸２５周りで第１支持体２１側に揺動するとともに、第３係止ピン３０を開閉カバー５側に押圧して、スライダ部材１３が開閉カバー５側に向けて押し出され、第１リンク部材１１の第２支持体２２側への移動により、スライダ部材１３が開閉カバー５側とは逆の後方側に引退するように連係させてある。
【００２０】
従って、開閉カバー５の開き操作に伴って、押込み部材５を付勢力で開閉カバー５側に向けて突出移動させると、図７に示すように、その移動の後半でスライダ部材１３が開閉カバー５側に向けて押し出されて、連結アーム１４のベース板２４前端部との接当が解除され、連結アーム１４とシャッター部材７とがドラムユニット２側に向けて大きく揺動して、シャッター部材７が遮蔽位置に移動し、開閉カバー５の閉じ操作に伴って、開閉カバー５の側部に設けてある当接部９で押込み部材５の先端を付勢力に抗して押し込むことにより、図６に示すように、閉じ操作の前半でスライダ部材１３が引退して、連結アーム１４の下向き揺動範囲がベース板２４前端部との接当で規制され、シャッター部材７が遮蔽解除位置に移動する。
【００２１】
また、図８，図９に示すように、シャッター部材７は、ドラムユニット２に形成してある当たり面３２との接当で一定の遮蔽位置に付勢力に抗して停止するように設けてあり、ドラムユニット２を筐体１から抜き出した状態で、シャッター部材７の遮蔽位置からの移動範囲を規制可能な規制機構Ｂを、シャッター部材７と筐体１とに亘って設けてある。
【００２２】
前記規制機構Ｂは、ドラム軸芯Ｘと略平行な方向に突出する接当ピン３３を筐体１の内側に固定するとともに、シャッター部材７の一端側に、接当ピン３３が内側に入り込む板金製の環状板材３４を固定して構成してある。
【００２３】
そして、図８（ａ），図９（ａ）に示すように、シャッター部材７が遮蔽解除位置に移動するに伴って接当ピン３３に接当する第１接当部３５と、図８（ｃ），図９（ｃ）に示すように、ドラムユニット２を筐体１から抜き出してある状態で、遮蔽位置に移動させてあるシャッター部材７のドラムユニット２を抜き出した後の空間への付勢力による入り込みを規制できるように、接当ピン３３に接当させる第２接当部３６とを環状板材３４の内周側に設け、図８（ｂ），図９（ｂ）に示すように、シャッター部材７がドラムユニット２の当たり面３２に接当する遮蔽位置に移動している通常状態では、接当ピン３３が環状板材３４に接当しないように設けてある。
【００２４】
〔その他の実施形態〕
１．本発明による画像形成装置は、上記実施形態において、シャッター部材７側に接当ピン３３を設け、この接当ピン３３が入り込む環状板材３４を筐体１側に設けて、規制機構Ｂを構成してあっても良い。
２．本発明による画像形成装置は、シャッター部材が遮蔽位置に移動するように自重によってのみ付勢してあっても良い。
３．本発明による画像形成装置は、シャッター部材側と筐体とをワイヤーなどで連結して、ドラムユニットを筐体から外した状態で、シャッター部材の遮蔽位置からの移動範囲を規制可能な規制機構を設けてあっても良い。
４．本発明による画像形成装置は、ドラムユニットをドラム軸芯に直交する方向の筐体外側に向けて開放可能な開口部を開閉自在なスライド式の開閉カバーを設けてあっても良い。
５．本発明による画像形成装置は、開閉カバーの上端側に揺動軸芯を設けて、その揺動軸芯周りに下方から上方に向けて揺動させることで開口部を開くことができるように開閉カバーを設けてあっても良い。
６．本発明による画像形成装置は、複写機の他、感光体ドラムを有するプリンタやファクシミリ等であっても良い。
【図面の簡単な説明】
【００２５】
【図１】開閉カバーを開けた状態での画像形成装置の斜視図
【図２】遮蔽解除位置のシャッター部材を示す要部の斜視図
【図３】遮蔽位置のシャッター部材を示す要部の斜視図
【図４】連係機構を説明する要部の分解斜視図
【図５】連係機構を説明する要部の平面図
【図６】連係機構の動作説明図で、（ａ）は平面図，（ｂ）は側面図
【図７】連係機構の動作説明図で、（ａ）は平面図，（ｂ）は側面図
【図８】規制機構を説明する要部の側面図
【図９】規制機構を説明する要部の斜視図
【符号の説明】
【００２６】
１  筐体
２  ドラムユニット
４  開口部
５  開閉カバー
６  感光体ドラム
７  シャッター部材
Ａ  連係機構
Ｂ  規制機構
Ｘ  ドラム軸芯
【図１】
2006133607.tif 000003
【図２】
2006133607.tif 000004
【図３】
2006133607.tif 000005
【図４】
2006133607.tif 000006
【図５】
2006133607.tif 000007
【図６】
2006133607.tif 000008
【図７】
2006133607.tif 000009
【図８】
2006133607.tif 000010
【図９】
2006133607.tif 000011